【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
基板と、前記基板の表面の上に配される複数の発光素子と、前記複数の発光素子を覆うように配される保護層と、前記保護層の上に配されるカラーフィルタ層と、を含む表示装置であって、
前記複数の発光素子は、互いに絶縁部によって分離された複数の下部電極と、前記複数の下部電極の上に配された発光層を含む有機層と、前記有機層を覆うように配された上部電極と、を含み、
前記保護層は、前記上部電極を覆うように配され、
前記保護層には、前記保護層とは屈折率の異なる分離部が設けられ、
前記分離部は、前記基板の表面に対する平面視において前記絶縁部の上に重なるように配されており、
前記分離部が、前記保護層の上面から前記基板の方向に延びる溝を含み、
前記溝の深さは、前記溝の幅よりも大きいことを特徴とする表示装置。
【請求項２】
基板と、前記基板の表面の上に配される複数の発光素子と、前記複数の発光素子を覆うように配される保護層と、前記保護層の上に配されるカラーフィルタ層と、を含む表示装置であって、
前記複数の発光素子は、互いに絶縁部によって分離された複数の下部電極と、前記複数の下部電極の上、前記複数の下部電極の間に配された部分の上および前記絶縁部の上に配された発光層を含む有機層と、前記有機層を覆うように配された上部電極と、を含み、
前記保護層は、前記複数の下部電極のそれぞれの間の上に設けられる分離部を有し、
前記分離部は、前記複数の下部電極から離間され、
前記分離部が、前記保護層の上面から前記基板の方向に延びる溝を含み、
前記溝の深さは、前記溝の幅よりも大きいことを特徴とする表示装置。
【請求項３】
前記基板と、前記複数の発光素子および前記絶縁部と、の間に層間絶縁層を更に含み、
前記複数の下部電極および前記絶縁部は、前記層間絶縁層の上に接して配され、
前記絶縁部は、前記複数の下部電極のそれぞれの周縁部を覆い、かつ、前記複数の下部電極のそれぞれの中央部を覆わないことを特徴とする請求項１または２に記載の表示装置。
【請求項４】
前記分離部が、前記保護層よりも屈折率が低い材料によって構成されることを特徴とする請求項１乃至３の何れか１項に記載の表示装置。
【請求項５】
前記分離部を構成する前記材料の屈折率が、１．２以上かつ１．８以下であることを特徴とする請求項４に記載の表示装置。
【請求項６】
前記保護層と前記カラーフィルタ層との間に平坦化層を更に含むことを特徴とする請求項１乃至５の何れか１項に記載の表示装置。
【請求項７】
前記保護層と前記カラーフィルタ層との間に平坦化層を更に含み、
前記平坦化層が、前記分離部を構成する前記材料と同じ材料で連続的に形成されていることを特徴とする請求項４または５に記載の表示装置。
【請求項８】
前記分離部が空洞を含むことを特徴とする請求項１乃至７の何れか１項に記載の表示装置。
【請求項９】
前記保護層が、前記分離部と前記上部電極との間に配される部分を含むことを特徴とする請求項１乃至８の何れか１項に記載の表示装置。
【請求項１０】
前記複数の発光素子は、互いに隣接する前記複数の下部電極が、第１の間隔で配される部分と、前記第１の間隔よりも狭い第２の間隔で配される部分と、を含み、
前記基板の表面を基準として、前記第１の間隔で配される部分の前記分離部の底面の高さが、前記第２の間隔で配される部分の前記分離部の底面の高さよりも高いことを特徴とする請求項１乃至９の何れか１項に記載の表示装置。
【請求項１１】
前記分離部が、前記上部電極の上面と接することを特徴とする請求項１乃至８の何れか１項に記載の表示装置。
【請求項１２】
前記保護層が、前記基板の側から第１の層、前記第１の層とは異なる材料を用いた第２の層、および、前記第２の層とは異なる材料を用いた第３の層を含む積層構造を有し、
前記分離部の底面と前記第２の層の上面とが接していることを特徴とする請求項１乃至９の何れか１項に記載の表示装置。
【請求項１３】
前記第１の層と前記第３の層とが、同じ材料を用いていることを特徴とする請求項１２に記載の表示装置。
【請求項１４】
前記分離部が、前記カラーフィルタ層のうち前記絶縁部の上に更に設けられることを特徴とする請求項１乃至１３の何れか１項に記載の表示装置。
【請求項１５】
前記分離部が、前記保護層から前記カラーフィルタ層までの間で連続的に形成されていることを特徴とする請求項１４に記載の表示装置。
【請求項１６】
前記絶縁部は、前記複数の下部電極の上に配される第１の部分と、前記複数の下部電極のそれぞれの間に配される第２の部分と、を含むことを特徴とする請求項１乃至１５の何れか１項に記載の表示装置。
【請求項１７】
前記基板の表面を基準として、前記上部電極のうち前記分離部の下に配される部分の上面の高さが、前記上部電極のうち前記第１の部分の上に配される部分の上面の高さよりも低いことを特徴とする請求項１６に記載の表示装置。
【請求項１８】
複数の発光素子を含む表示装置の製造方法であって、
基板の表面の上に、互いに絶縁部によって分離される複数の下部電極と、前記複数の下部電極の上に配される発光層を含む有機層と、前記有機層の上に配される上部電極と、を形成する工程と、
前記上部電極を覆うように保護層を形成する工程と、
前記保護層に分離部を形成する工程と、
前記保護層の上にカラーフィルタ層を形成する工程と、を含み、
前記分離部は、前記基板の表面に対する平面視において前記絶縁部の上に重なるように配され、かつ、前記保護層の上面から前記基板の方向に延びる溝を含み、
前記溝の深さは、前記溝の幅よりも大きいことを特徴とする表示装置の製造方法。
【請求項１９】
前記分離部を形成する工程が、前記保護層に溝を形成するエッチング工程を含み、
前記エッチング工程において、前記上部電極がエッチングストッパとして用いられることを特徴とする請求項１８に記載の表示装置の製造方法。
【請求項２０】
前記保護層が、前記基板の側から第１の層、前記第１の層とは異なる材料を用いた第２の層、および、前記第２の層とは異なる材料を用いた第３の層を含む積層構造を有し、
前記分離部を形成する工程が、前記保護層に溝を形成するエッチング工程を含み、
前記エッチング工程において、前記第２の層がエッチングストッパとして用いられることを特徴とする請求項１８に記載の表示装置の製造方法。
【請求項２１】
前記カラーフィルタ層を形成する工程が、前記分離部を形成する工程の前に行われ、
前記分離部を形成する工程が、前記カラーフィルタ層および前記保護層に連続する溝を形成するエッチング工程を含むことを特徴とする請求項１８乃至２０の何れか１項に記載の表示装置の製造方法。
【手続補正２】
【補正対象書類名】明細書
【補正対象項目名】０００６
【補正方法】変更
【補正の内容】
【０００６】
上記課題に鑑みて、本発明の実施形態に係る表示装置は、基板と、基板の表面の上に配される複数の発光素子と、複数の発光素子を覆うように配される保護層と、保護層の上に配されるカラーフィルタ層と、を含む表示装置であって、複数の発光素子は、互いに絶縁部によって分離された複数の下部電極と、複数の下部電極の上に配された発光層を含む有機層と、有機層を覆うように配された上部電極と、を含み、保護層は、上部電極を覆うように配され、保護層には、保護層とは屈折率の異なる分離部が設けられ、分離部は、基板の表面に対する平面視において絶縁部の上に重なるように配されており、分離部が、保護層の上面から基板の方向に延びる溝を含み、溝の深さは、溝の幅よりも大きいことを特徴とする。